(57)【要約】【課題】１つの筐体内にイオン発生器及び薬剤蒸散器を併設し、空気中の細菌の表面に活性物質を生成させて、室内の空気を除菌することができると共に、蒸散された薬剤が電極にて分解されることを防止できる薬剤吹出装置を提供する。【解決手段】薬剤吹出装置の筐体１の内部にダクト状の通風部２を設け、イオン発生器９の電極９ａ、９ａを通風部２の上側壁の内面と略同一平面上に配置し、薬剤蒸散器Ｃの蒸散部７を通風部２の下側壁に開設された孔部を通して通風部２内の前記電極９ａ、９ａより風下側に配置し、蒸散した薬剤５が電極９ａ、９ａに移動しないように構成した。【選択図】図１
2008161561.tif 000002
【特許請求の範囲】
【請求項１】
空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、
前記通風部に電極を配置してあり、該電極への電圧印加により発生した正負イオンを前記通風部内に放出するイオン発生器を備え、前記蒸散部は、前記通風部の前記電極より風下側に配置してあることを特徴とする薬剤吹出装置。
【請求項２】
空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、
前記蒸散部は前記通風部に配置してあり、該通風部に配置してある電極を有し、該電極への電圧印加により発生した正負イオンを前記通風部内に放出するイオン発生器と、前記電極及び蒸散部を隔てており、通風方向に沿った隔壁とを備えることを特徴とする薬剤吹出装置。
【請求項３】
空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、
前記通風部は複数のダクトとなっており、前記蒸散部は一のダクトに配置してあり、他のダクトに配置してある電極を有し、該電極への電圧印加により発生した正負イオンを前記通風部内に放出するイオン発生器を備えることを特徴とする薬剤吹出装置。
【請求項４】
前記吹出口は前記複数のダクトのそれぞれに設けられており、前記吹出口に風向調節器が設けられていることを特徴とする請求項３に記載の薬剤吹出装置。
【請求項５】
空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、
前記通風部内に、電圧印加により正負イオンを発生させる電極を有するイオン発生器及び前記薬剤蒸散器が設けられており、
前記イオン発生器及び薬剤蒸散器を包囲して熱を閉じ込める包囲体を備え、前記蒸散部は、前記包囲体の通風方向に沿う一側壁部に開設してある孔部を通して延出してあり、前記電極は、他側壁部の外側に配置してあることを特徴とする薬剤吹出装置。
【請求項６】
前記筐体内に設けられており、空気を吸込む吸込ファンと、照明光の光量を検出する受光センサと、光量の設定が可能であり、検出された光量が、設定してある光量を超えている場合に、前記吸込ファンを駆動させる手段とを備えることを特徴とする請求項１乃至５のいずれか１つに記載の薬剤吹出装置。
【請求項７】
前記筐体内に設けられており、空気を吸込む吸込ファンと、人体の有無を検出する手段と、該手段により人体を検出した場合に前記吸込ファンを駆動させる手段とを備えることを特徴とする請求項１乃至５のいずれか１つに記載の薬剤吹出装置。
【請求項８】
前記人体の有無を検出する手段は、人体の熱を検出する熱センサであることを特徴とする請求項７に記載の薬剤吹出装置。
【請求項９】
前記筐体内に設けられており、空気を吸込む吸込ファンと、空気中の薬剤の濃度を検出する濃度センサと、濃度の設定が可能であって、前記濃度センサにより検出された濃度が設定してある濃度を超えている場合に、前記吸込ファンの駆動を停止させる手段とを備えることを特徴とする請求項１乃至５のいずれか１つに記載の薬剤吹出装置。
【請求項１０】
前記筐体内に設けられており、空気を吸込む吸込ファンと、該吸込ファンの駆動時間の設定が可能であって、設定してある駆動時間が経過した場合に前記吸込ファンを停止させる手段を備えることを特徴とする請求項１乃至５のいずれか１つに記載の薬剤吹出装置。
【請求項１１】
前記吸込ファン停止後の前記イオン発生器の作動時間の設定が可能であって、設定してある作動時間が経過した場合に前記イオン発生器を停止させる手段を備えることを特徴とする請求項６乃至１０のいずれか１つに記載の薬剤吹出装置。
【請求項１２】
電池と、該電池の電圧値を検出する手段と、電圧値の設定が可能であって、検出された電圧値が、設定してある電圧値に満たない場合に前記イオン発生器を停止させる手段とを備えることを特徴とする請求項１乃至１１のいずれか１つに記載の薬剤吹出装置。
【請求項１３】
前記筐体は蓋体を備えることを特徴とする請求項１乃至１２のいずれか１つに記載の薬剤吹出装置。
【発明の詳細な説明】
【技術分野】
【０００１】
本発明は、蒸散された薬剤及び正負イオンを室内に吹出して、悪臭による不快感を和らげると共に室内の空気の除菌を行うことができる薬剤吹出装置に関する。
【背景技術】
【０００２】
従来にあっては、薬剤を加熱して蒸散する蒸散部と、空気をマイナスイオン化するマイナスイオン発生器とを備える薬剤揮発機が提案されている。該薬剤揮発機は、前記蒸散部に設けてあるヒータを用いて薬剤を加熱すると共に前記マイナスイオン発生器に設けてある電極に電圧を印加して空気をマイナスイオン化し、加熱により蒸散した薬剤及びマイナスイオンを室内に拡散している（特許文献１参照）。
【０００３】
また液状芳香剤の蒸発発散部と、該蒸発発散部に当てるエア流を生起する電動ファン装置とを備えるエアリフレッシング装置が従来から提案されている。該エアリフレッシング装置はエア流を前記蒸発発散部に当てることにより、液状芳香剤を蒸発させて室内空間に芳香剤を満たしている（特許文献２参照）。
【０００４】
また電極を有しており、正負イオンを発生させるイオン発生器を備える空気清浄機が従来から提案されている。該空気清浄機は前記電極に電圧を印加することにより、正負イオンを発生させ、発生した正負イオンを室内に拡散し、空気の除菌を行っている。
【０００５】
特許文献１に記載の薬剤揮発機にあっては、蒸散した薬剤及びマイナスイオンを室内に拡散することにより、室内には芳香剤又は消臭剤並びにマイナスイオンが満たされるので、悪臭による不快感を和らげると共に爽快感を与えていた。
【０００６】
また特許文献２に記載のエアリフレッシング装置にあっては、電動ファン装置により芳香剤を含む空気を放出し、芳香剤を室内全体に拡散させていた。また従来から提案されている空気清浄機にあっては、除菌にオゾン又は二酸化塩素等の有害物質を用いておらず、室内の除菌は安全に行われていた。
【特許文献１】特開２００４−２４２９１０号公報
【特許文献２】特開平５−３２９１９９号公報
【発明の開示】
【発明が解決しようとする課題】
【０００７】
特許文献１に記載の薬剤揮発機にあっては、ヒータによる上昇気流を用いて薬剤の拡散を行っているので、室内全体に薬剤が拡散されるまで長時間を要するという問題があり、また室内の除菌を行うことはできず、悪臭の原因となる細菌を減少させることはできないという問題があった。これに対し特許文献２に記載のエアリフレッシング装置にあっては、電動ファン装置を設けることにより芳香剤を含む空気を放出し、芳香剤を室内全体に短時間で拡散させることはできるが、依然として室内の除菌を行うことはできないという問題があった。
【０００８】
室内の除菌は従来から提案されている空気清浄機により行うことができるので、前記薬剤揮発機及び空気清浄機を室内に設置することが考えられる。しかし前記薬剤揮発機及び空気清浄機を室内に設置すると、室内空間を必要以上に狭くし、室内での人の移動を妨げる虞がある。また前記薬剤揮発機及び空気清浄機に統一した意匠が施されていない場合に、両者をホテルの化粧室又はショールーム等の統一した意匠を施してある室内に設置すると、該室内全体の纏りのある意匠性が損なわれる虞がある。
【０００９】
前記エアリフレッシング装置及び空気清浄機を室内に設置することも考えられるが、両者から吹出される空気が干渉して、室内の気流に乱れが生じ、室内全体に芳香剤を拡散することが妨げられる虞があり、またエアリフレッシング装置から放出された芳香剤が空気清浄機に吸込まれ、該空気清浄機に備えてある電極にて分解される虞がある。
【００１０】
本発明は係る事情に鑑みてなされたものであり、１つの筐体内にイオン発生器及び薬剤蒸散器を併設し、前記イオン発生器を通風部に配置し、薬剤蒸散器を通風部の風下側に配置することにより、空気中の細菌の表面に活性物質を生成させて、室内の空気を除菌することができると共に、室内での占有割合を軽減して、人の移動を円滑にすることができ、更に筐体を１つにして、室内の意匠に調和する意匠を施し易くすることができ、また該薬剤が電極にて分解されることを防止できる薬剤吹出装置を提供することを目的とする。
【００１１】
また前記通風部内に前記イオン発生器の電極及び薬剤蒸散器の蒸散部を隔てる隔壁を設けることにより、蒸散された薬剤の前記電極への移動を妨げ、該薬剤が電極にて分解されることを防止できる薬剤吹出装置を提供することを目的とする。
【００１２】
更に前記蒸散部を一のダクトに配置し、前記電極を他のダクトに配置することにより、蒸散された薬剤の前記電極への移動を妨げ、該薬剤が電極にて分解されることを防止できる薬剤吹出装置を提供することを目的とする。
【００１３】
また複数のダクトのそれぞれに風向調節器を設けることにより、正負イオンを含む空気の風向と蒸散された薬剤を含む空気の風向とを異ならせて、前者の空気と後者の空気との干渉を防止できる薬剤吹出装置を提供することを目的とする。
【００１４】
また前記イオン発生器及び薬剤蒸散器を包囲する包囲体を設けることにより、イオン発生器から発生する熱を包囲体の内部に滞留させて、薬剤の温度を上昇させることができる薬剤吹出装置を提供することを目的とする。
【００１５】
また照明光の光量を検出する受光センサと、光量の設定が可能であり、検出された光量が、設定してある光量を超えている場合に、前記吸込ファンを駆動させる手段とを設けることにより、照明が消灯しており室内が無人であると推定される場合には薬剤の蒸散を抑制できる薬剤吹出装置を提供することを目的とする。
【００１６】
更に人体の有無を検出する手段と、該手段により人体を検出した場合に前記吸込ファンを駆動させる手段と設けることにより、室内が無人である場合は吸込ファンを駆動させず、薬剤の蒸散を抑制できる薬剤吹出装置を提供することを目的とする。
【００１７】
また人体の熱を検出する熱センサを前記人体の有無を検出する手段とすることにより、人体の有無を確実に検出して、前記吸込ファンの駆動を適切に制御できる薬剤吹出装置を提供することを目的とする。
【００１８】
また空気中の薬剤の濃度を検出する濃度センサと、濃度の設定が可能であって、前記濃度センサにより検出された濃度が、設定してある濃度を超えている場合に、前記吸込ファンの駆動を停止させる手段とを設けることにより、十分な量の薬剤が蒸散されている場合は、吸込ファンを停止させることができる薬剤吹出装置を提供することを目的とする。
【００１９】
また吸込ファンの駆動時間の設定が可能であって、設定してある駆動時間が経過した場合に前記吸込ファンを停止させる手段を設けることにより、前記時間が経過した後は吸込ファンを停止させて、薬剤の蒸散を抑制できる薬剤吹出装置を提供することを目的とする。
【００２０】
更に前記吸込ファン停止後の前記イオン発生器の作動時間の設定が可能であって、設定してある作動時間が経過した場合に前記イオン発生器を停止させる手段を設けることにより、吸込ファン停止後、所定時間が経過するまではイオン発生器を作動させ、薬剤吹出装置の内部に正負イオンを充満させることができる薬剤吹出装置を提供することを目的とする。
【００２１】
また電池の電圧値を検出する手段と、電圧値の設定が可能であって、検出された電圧値が、設定してある電圧値に満たない場合に前記イオン発生器を停止させる手段とを設けることにより、電池の電圧値が設定してある電圧値に満たない場合は前記イオン発生器を停止させることができる薬剤吹出装置を提供することを目的とする。
【００２２】
また前記筐体に蓋体を設けることにより、薬剤の補充、電極の清掃等を行ない易くして、速やかな保守点検を行うことができる薬剤吹出装置を提供することを目的とする。
【課題を解決するための手段】
【００２３】
本発明に係る薬剤吹出装置は、空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、前記通風部に電極を配置してあり、該電極への電圧印加により発生した正負イオンを前記通風部内に放出するイオン発生器を備え、前記蒸散部は、前記通風部の前記電極より風下側に配置してあることを特徴とする。
【００２４】
本発明においては、１つの筐体内に正負イオンを発生するイオン発生器及び薬剤蒸散器を併設することにより、空気中の細菌の表面に活性物質を生成させて室内の空気を除菌すると共に、室内での占有割合を軽減して、人の移動を円滑にする。更に、筐体に室内の意匠に調和する意匠を施しておけば、室内全体の纏りのある意匠性は維持される。また前記イオン発生器の電極を通風部に配置し、薬剤蒸散器の蒸散部を前記通風部の前記電極より風下側に配置することにより、蒸散された薬剤の前記電極への移動を妨げ、該薬剤が電極にて分解されることを防止する。
【００２５】
また本発明に係る薬剤吹出装置は、空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、前記蒸散部は前記通風部に配置してあり、該通風部に配置してある電極を有し、該電極への電圧印加により発生した正負イオンを前記通風部内に放出するイオン発生器と、前記電極及び蒸散部を隔てており、通風方向に沿った隔壁とを備えることを特徴とする。
【００２６】
本発明においては、前記通風部内に前記電極及び蒸散部を隔てる隔壁を設けることにより、蒸散された薬剤の前記電極への移動を妨げ、該薬剤が電極にて分解されることを防止する。
【００２７】
また本発明に係る薬剤吹出装置は、空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、前記通風部は複数のダクトとなっており、前記蒸散部は一のダクトに配置してあり、他のダクトに配置してある電極を有し、該電極への電圧印加により発生した正負イオンを前記通風部内に放出するイオン発生器を備えることを特徴とする。
【００２８】
本発明においては、複数のダクトを設け、前記蒸散部を一のダクトに配置し、前記電極を他のダクトに配置することにより、蒸散された薬剤の前記電極への移動を妨げ、該薬剤が電極にて分解されることを防止する。
【００２９】
また本発明に係る薬剤吹出装置は、前記吹出口は前記複数のダクトのそれぞれに設けられており、前記吹出口に風向調節器が設けられていることを特徴とする。
【００３０】
本発明においては、複数のダクトのそれぞれに設けられた吹出口に風向調節器を設けることにより、正負イオンを含む空気の風向と蒸散された薬剤を含む空気の風向とを異ならしめて、前者の空気と後者の空気とが干渉することを防ぐ。
【００３１】
また本発明に係る薬剤吹出装置は、空気の吸込口及び吹出口を備える筐体と、該筐体内に形成されており、前記吸込口から吸込まれた空気を前記吹出口に至らしめる通風部と、該通風部内へ薬剤を蒸散させる蒸散部を有する薬剤蒸散器とを備える薬剤吹出装置において、前記通風部内に、電圧印加により正負イオンを発生させる電極を有するイオン発生器及び前記薬剤蒸散器が設けられており、前記イオン発生器及び薬剤蒸散器を包囲して熱を閉じ込める包囲体を備え、前記蒸散部は、前記包囲体の通風方向に沿う一側壁部に開設してある孔部を通して延出してあり、前記電極は、他側壁部の外側に配置してあることを特徴とする。
【００３２】
本発明においては、前記イオン発生器及び薬剤蒸散器の全体を包囲して熱を閉じ込める包囲体を設け、前記蒸散部を前記包囲体の通風方向に沿う一側壁部に開設されている孔部を通して延出させ、前記電極を他側壁部の外側に配置することにより、イオン発生器から発生する熱を包囲体の内部に滞留させて、薬剤の温度を上昇させ、薬剤を蒸散させ易くし、また前記蒸散部及び電極を離隔させて、蒸散された薬剤の前記電極への移動を妨げる。
【００３３】
また本発明に係る薬剤吹出装置は、前記筐体内に設けられており、空気を吸込む吸込ファンと、照明光の光量を検出する受光センサと、光量の設定が可能であり、検出された光量が、設定してある光量を超えている場合に、前記吸込ファンを駆動させる手段とを備えることを特徴とする。
【００３４】
本発明においては、照明光の光量を検出する受光センサと、光量の設定が可能であり、検出された光量が、設定してある光量を超えている場合に、前記吸込ファンを駆動させる手段とを設けることにより、室内の照明が点灯している場合は吸込ファンを駆動させて、薬剤の蒸散を促進し、室内の照明が消灯している場合は吸込ファンを停止させて、薬剤の蒸散を抑制する。
【００３５】
また本発明に係る薬剤吹出装置は、前記筐体内に設けられており、空気を吸込む吸込ファンと、人体の有無を検出する手段と、該手段により人体を検出した場合に前記吸込ファンを駆動させる手段とを備えることを特徴とする。
【００３６】
本発明においては、人体の有無を検出する手段と、該手段により人体を検出した場合に前記吸込ファンを駆動させる手段とを設けることにより、室内が無人である場合は吸込ファンを駆動させず、薬剤の蒸散を抑制し、室内が有人である場合は吸込ファンを駆動させ、薬剤の蒸散を促進する。
【００３７】
また本発明に係る薬剤吹出装置は、前記人体の有無を検出する手段は、人体の熱を検出する熱センサであることを特徴とする。
【００３８】
本発明においては、人体の熱を検出する熱センサを前記人体の有無を検出する手段とすることにより、人体の有無を確実に検出して、前記吸込ファンの駆動を適切に制御する。
【００３９】
また本発明に係る薬剤吹出装置は、前記筐体内に設けられており、空気を吸込む吸込ファンと、空気中の薬剤の濃度を検出する濃度センサと、濃度の設定が可能であって、前記濃度センサにより検出された濃度が設定してある濃度を超えている場合に、前記吸込ファンの駆動を停止させる手段とを備えることを特徴とする。
【００４０】
本発明においては、空気中の薬剤の濃度を検出する濃度センサと、濃度の設定が可能であって、前記濃度センサにより検出された濃度が設定してある濃度を超えている場合に、前記吸込ファンの駆動を停止させる手段とを設けることにより、十分な量の薬剤が蒸散されている場合は、吸込ファンを停止させて薬剤の蒸散を抑制し、十分な量の薬剤が蒸散されていない場合は、吸込ファンを駆動させて薬剤の蒸散を促進する。
【００４１】
また本発明に係る薬剤吹出装置は、前記筐体内に設けられており、空気を吸込む吸込ファンと、該吸込ファンの駆動時間の設定が可能であって、設定してある駆動時間が経過した場合に前記吸込ファンを停止させる手段を備えることを特徴とする。
【００４２】
本発明においては、吸込ファンの駆動時間の設定が可能であって、設定してある駆動時間が経過した場合に前記吸込ファンを停止させる手段を設けることにより、十分な量の薬剤を室内の空気中に蒸散させるために必要な時間が経過するまでは吸込ファンを駆動させて薬剤の蒸散を促進し、前記時間が経過した後は吸込ファンを停止させて、薬剤の蒸散を抑制する。
【００４３】
また本発明に係る薬剤吹出装置は、前記吸込ファン停止後の前記イオン発生器の作動時間の設定が可能であって、設定してある作動時間が経過した場合に前記イオン発生器を停止させる手段を備えることを特徴とする。
【００４４】
本発明においては、前記吸込ファン停止後の前記イオン発生器の作動時間の設定が可能であって、設定してある作動時間が経過した場合に前記イオン発生器を停止させる手段を設けることにより、吸込ファン停止後、所定時間が経過するまではイオン発生器を作動させ、薬剤吹出装置の内部に正負イオンを充満させて、該内部を除菌する。
【００４５】
また本発明に係る薬剤吹出装置は、電池と、該電池の電圧値を検出する手段と、電圧値の設定が可能であって、検出された電圧値が、設定してある電圧値に満たない場合に前記イオン発生器を停止させる手段とを備えることを特徴とする。
【００４６】
本発明においては、電池の電圧値を検出する手段と、電圧値の設定が可能であって、検出された電圧値が、設定してある電圧値に満たない場合に前記イオン発生器を停止させる手段とを設けることにより、電池の電圧値が設定してある電圧値以上である場合は吸込ファンを駆動させると共にイオン発生器を作動させ、電池の電圧値が設定してある電圧値に満たない場合は前記イオン発生器を停止させて、吸込ファンを駆動させる。
【００４７】
また本発明に係る薬剤吹出装置は、前記筐体は蓋体を備えることを特徴とする。
【００４８】
本発明においては、前記筐体に蓋体を設けることにより、薬剤の補充、電極の清掃等を行ない易くして、薬剤吹出装置の速やかな保守・点検を実現する。
【発明の効果】
【００４９】
本発明に係る薬剤吹出装置においては、１つの筐体内に正負イオンを発生するイオン発生器及び薬剤蒸散器を併設し、また前記イオン発生器の電極を通風部に配置することにより、空気中の細菌の表面に活性物質を生成させて、室内の空気を除菌し、悪臭を軽減することができると共に、室内での占有割合を軽減して、人の移動を円滑にし、室内の混雑を軽減することができる。更に、筐体に室内の意匠に調和する意匠を施しておけば、室内全体の纏りのある意匠性を維持することができる。また薬剤蒸散器の蒸散部を前記通風部の前記電極より風下側に配置することにより、蒸散された薬剤の前記電極への移動を妨げて該薬剤が電極にて分解されることを防止し、薬剤の効率的利用を図ることができる。
【００５０】
また本発明に係る薬剤吹出装置においては、前記通風部内に前記電極及び蒸散部を隔てる隔壁を設けることにより、蒸散された薬剤の前記電極への移動を妨げ、該薬剤が電極にて分解されることを防止し、薬剤の効率的利用を図ることができ、また電極に薬剤が付着・凝結することを防止し、正負イオンを滞りなく発生させることができる。
【００５１】
また本発明に係る薬剤吹出装置においては、複数のダクトを設け、前記蒸散部を一のダクトに配置し、前記電極を他のダクトに配置することにより、蒸散された薬剤の前記電極への移動を妨げ、該薬剤が電極にて分解されることを防止する。したがって薬剤の効率的利用を図ることができ、また電極に薬剤が付着・凝結することを防止して、正負イオンを滞りなく発生させることができる。
【００５２】
また本発明に係る薬剤吹出装置においては、複数のダクトのそれぞれに設けられた吹出口に風向調節器を設けることにより、正負イオンを含む空気の風向と蒸散された薬剤を含む空気の風向とを異ならしめて、前者の空気と後者の空気とが干渉することを防いで、室内の気流に乱れが生じることを防止し、室内全体に正負イオン及び蒸散された薬剤を拡散させることができる。
【００５３】
また本発明に係る薬剤吹出装置においては、前記イオン発生器及び薬剤蒸散器の全体を包囲して熱を閉じ込める包囲体を設け、前記蒸散部を前記包囲体の通風方向に沿う一側壁部に開設してある孔部を通して延出させ、前記電極を他側壁部の外側に配置することにより、イオン発生器から発生する熱を包囲体の内部に滞留させて、薬剤の温度を上昇させ、また前記蒸散部及び電極を離隔させて、蒸散された薬剤の前記電極への移動を妨げる。したがって室温が低下した場合でもイオン発生器から発生する熱を利用して、薬剤の蒸散を促進することができ、また該薬剤の電極への付着・凝結が防止され、電極で正負イオンを滞りなく発生させることができる。
【００５４】
また本発明に係る薬剤吹出装置においては、照明光の光量を検出する受光センサと、光量の設定が可能であり、検出された光量が、設定してある光量を超えている場合に、前記吸込ファンを駆動させる手段とを設けることにより、室内の照明が点灯している場合は吸込ファンを駆動させて、薬剤の蒸散を促進し、室内の照明が消灯している場合は吸込ファンを停止させて、薬剤の蒸散を抑制する。したがって、照明が消灯しており室内が無人であると推定される場合には薬剤の蒸散を抑制し、薬剤の消費を抑えると共に消費電力を低減することができる。
【００５５】
また本発明に係る薬剤吹出装置においては、人体の有無を検出する手段と、該手段により人体を検出した場合に前記吸込ファンを駆動させる手段とを設けることにより、室内が無人である場合は吸込ファンを停止させて薬剤の蒸散を抑制し、室内が有人である場合は吸込ファンを駆動させて薬剤の蒸散を促進する。したがって、室内が無人である場合には薬剤の蒸散を抑制し、薬剤の消費を抑えると共に消費電力を低減することができる。
【００５６】
また本発明に係る薬剤吹出装置においては、人体の熱を検出する熱センサを前記人体の有無を検出する手段とすることにより、人体の有無を確実に検出して、前記吸込ファンの駆動を適切に制御するので、薬剤消費の効率性を向上させると共に消費電力を低減することができる。
【００５７】
また本発明に係る薬剤吹出装置においては、空気中の薬剤の濃度を検出する濃度センサと、濃度の設定が可能であって、前記濃度センサにより検出された濃度が設定してある濃度を超えている場合に、前記吸込ファンの駆動を停止させる手段とを設けることにより、十分な量の薬剤が蒸散されている場合は、吸込ファンを停止させて薬剤の蒸散を抑制し、十分な量の薬剤が蒸散されていない場合は、吸込ファンを駆動させて薬剤の蒸散を促進する。したがって、薬剤消費の効率性を向上させると共に消費電力を低減することができる。
【００５８】
また本発明に係る薬剤吹出装置においては、吸込ファンの駆動時間の設定が可能であって、設定してある駆動時間が経過した場合に前記吸込ファンを停止させる手段を設けることにより、十分な量の薬剤を室内の空気中に蒸散させるために必要な時間が経過するまでは吸込ファンを駆動させて薬剤の蒸散を促進し、前記時間が経過した後は吸込ファンを停止させて、薬剤の蒸散を抑制する。したがって、薬剤消費の効率性を向上させると共に消費電力を低減することができる。
【００５９】
また本発明に係る薬剤吹出装置においては、前記吸込ファン停止後の前記イオン発生器の作動時間の設定が可能であって、設定してある作動時間が経過した場合に前記イオン発生器を停止させる手段を設けることにより、吸込ファン停止後、所定時間が経過するまではイオン発生器を作動させ、薬剤吹出装置の内部に正負イオンを充満させて、該内部を除菌する。したがって、薬剤の蒸散が必要ない場合に薬剤吹出装置を清潔にすることができる。
【００６０】
また本発明に係る薬剤吹出装置においては、電池の電圧値を検出する手段と、電圧値の設定が可能であって、検出された電圧値が、設定してある電圧値に満たない場合に前記イオン発生器を停止させる手段とを設けることにより、電池の電圧値が設定してある電圧値以上である場合は吸込ファンを駆動させると共にイオン発生器を作動させ、電池の電圧値が設定してある電圧値に満たない場合は前記イオン発生器を停止させて、吸込ファンを駆動させる。したがって電池の電圧が降下した場合にはイオン発生器を停止させて、吸込ファンの駆動を長時間維持させることができる。
【００６１】
また本発明に係る薬剤吹出装置においては、前記筐体に蓋体を設けることにより、薬剤の補充、電極の清掃等を行ない易くして、薬剤吹出装置の速やかな保守点検を実現するので、保守点検に要する時間を短縮することができる。
【発明を実施するための最良の形態】
【００６２】
（実施の形態１）
以下本発明に係る薬剤吹出装置を実施の形態１を示す図面に基づいて詳述する。図１は実施の形態１に係る薬剤吹出装置の正面から見た要部構成を示す模式図である。
【００６３】
図において１は薬剤吹出装置の外装をなす筐体であり、筐体１の一側壁１ａには空気を吸込む吸込口１０が開設されており、一側壁１ａに対向する他側壁１ｂには空気を吹出す吹出口１１が開設されている。筐体１の内部であって吸込口１０の近傍に吸込ファン３が配設されており、吸込ファン３と吹出口１１との間にダクト状の通風部２が略真直ぐに形成されている。
【００６４】
吸込ファン３の近傍であって通風部２の上側壁と筐体１との間に、正負イオン、例えば水素イオン及び酸素イオンを発生させるイオン発生器９が配設されている。イオン発生器９は、電位がパルス的に変動する二つの電極９ａ、９ａを備えており、電極９ａ、９ａは通風部２の上側壁の内面と略同一平面上に配置してあり、電極９ａ、９ａへの電圧印加により発生した正負イオンが通風部２内に放出される構成となっている。
【００６５】
通風部２内の吹出口１１の近傍であって通風部２の下側壁と筐体１との間に、薬剤を蒸散させる薬剤蒸散器Ｃが配設されている。薬剤蒸散器Ｃは薬剤箱４を備え、薬剤箱４の内部に液体の薬剤５、例えば芳香剤又は消臭剤が収容されている。薬剤箱４の内部に、上端を薬剤箱４の上面から延出させてあり、下端を薬剤箱４の底面に接触させてある柱状の吸上体６が設けられている。吸上体６の上端には、吸水性のある樹脂で形成された蒸散部７が設けられている。蒸散部７は、通風部２の下側壁に開設された孔部を通して、通風部２内の前記電極９ａ、９ａより風下側に配置してあり、薬剤５は吸上体６に吸上げられて、蒸散部７から通風部２内に蒸散される構成となっている。
【００６６】
筐体１の内部に、制御基板を内部に備える薄い箱形の制御部８が配設されており、制御部８は吸込ファン３のファン駆動回路３０及びイオン発生器９と接続されている。制御部８は吸込ファン３の駆動及びイオン発生器９の作動を制御する構成となっている。
【００６７】
薬剤吹出装置の運転について説明する。吸込ファン３が駆動すると、図中の白抜矢符にて示す如く、吸込口１０から空気が筐体１の内部に吸込まれ、吸込まれた空気は吸込ファン３を経由して通風部２内を通流し、吹出口１１に向かう気流が形成される。イオン発生器９が作動して電極９ａ、９ａに電圧が印加されると、正負イオンが発生し、正負イオンは通風部２内に放出され、吹出口１１に向けて移動する。
【００６８】
通風部２内を通流している空気は前記蒸散部７に当たり、薬剤５の蒸散を促進し、蒸散された薬剤５は、通風部２内を吹出口１１に向けて移動し、図中の白抜矢符にて示す如く、前記正負イオンと共に吹出口１１から吹出される。吹出口１１に向かう気流が形成されていることにより、薬剤５の前記電極９ａ、９ａに向けての移動は妨げられ、薬剤５は電極９ａ、９ａにて分解されない。
【００６９】
正負イオンが吹出口１１から吹出されると、正負イオンが空気中を浮遊する細菌の細胞壁に付着して凝集し、例えば水酸化物イオンを生成する。水酸化物イオンは活性物質であり、細菌の細胞壁から水素原子を抜き取るので細菌の細胞壁は破壊され、細胞壁を破壊された細菌は水分を失って死滅し、除菌が行われる。また蒸散された薬剤５が吹出口１１から吹出されると、空気中に薬剤５が拡散される。
【００７０】
実施の形態１に係る薬剤吹出装置においては、筐体１内にイオン発生器９及び薬剤蒸散器Ｃを併設することにより、空気中の細菌の表面に活性物質を生成させるので、室内の空気を除菌し、悪臭を軽減することができる。また室内での占有割合を軽減して、人の移動を円滑にし、室内の混雑を軽減することができる。更に筐体１に室内の意匠に調和する意匠を施しておけば、室内全体の纏りのある意匠性を維持することができる。また電極９ａ、９ａを通風部２に配置し、蒸散部７を前記通風部２の前記電極９ａ、９ａより風下側に配置することにより、蒸散された薬剤５の前記電極９ａ、９ａへの移動を妨げ、該薬剤５が電極９ａ、９ａにて分解されることを防止し、薬剤５の効率的利用を図ることができる。
【００７１】
なお蒸散部７は、通風部２の下側壁以外の側壁に開設された孔部を通して通風部２内に配置してあっても良く、電極９ａ、９ａは上側壁以外の側壁に配置してあっても良い。また電極９ａ、９ａは通風部２の上側壁の内面から間を隔てて配置してあっても良い。また筐体１の内部空間を通風部とし、電極９ａ、９ａを通風部に形成される通風経路上に配置し、蒸散部７を通風部内であって電極９ａ、９ａより風下側の通風経路上に配置しても良い。また吸込口１０又は吹出口１１は筐体１の上壁又は下壁に設けても良い。
【００７２】
（実施の形態２）
以下本発明に係る薬剤吹出装置を実施の形態２を示す図面に基づいて詳述する。図２は実施の形態２に係る薬剤吹出装置の正面から見た要部構成を示す模式図である。
【００７３】
電極９ａ、９ａが通風部２の上側壁の内面と略同一平面上に配置してあり、通風部２の下側壁に開設された孔部を通して、通風部２内に蒸散部７が配置してある。電極９ａ、９ａ及び蒸散部７を隔てており、通風方向に沿った板形の隔壁１２が通風部２内に支持されている。隔壁１２は通風部２内を部分的に２分割しており、隔壁１２と前記上側壁との間にイオン側通風部２ａが形成され、隔壁１２と前記下側壁との間に薬剤側通風部２ｂが形成されている。隔壁１２は薬剤蒸散器Ｃ寄りに支持されており、薬剤側通風部２ｂの幅はイオン側通風部２ａよりも狭くなっている。
【００７４】
薬剤吹出装置の運転について説明する。イオン発生器９が作動して電極９ａ、９ａに電圧が印加されると、正負イオン、例えば水素イオン及び酸素イオンが発生し、正負イオンはイオン側通風部２ａ内に放出される。放出された正負イオンは吹出口１１に向けて移動する。
【００７５】
薬剤側通風部２ｂ内を通流している空気は前記蒸散部７に当たり、薬剤５は蒸散される。蒸散された薬剤５の電極９ａ、９ａに向けての移動は隔壁１２により遮られるので、蒸散された薬剤５は電極９ａ、９ａにて分解されることなく、図中の白抜矢符にて示す如く、吹出口１１から吹出される。
【００７６】
また隔壁１２は薬剤蒸散器Ｃ寄りに支持され、薬剤側通風部２ｂの幅は狭く形成されているので、吸込ファン３を停止させている場合の薬剤側通風部２ｂ内の薬剤５の濃度は高くなり易く、吸込ファン３を停止させている場合の薬剤５の蒸散は抑制される。
【００７７】
実施の形態２に係る薬剤吹出装置においては、前記通風部２内に前記電極９ａ、９ａ及び蒸散部７を隔てる隔壁１２を設けることにより、蒸散された薬剤５の前記電極９ａ、９ａへの移動を妨げ、該薬剤５が電極９ａ、９ａにて分解されることを防止し、薬剤５の効率的利用を図ることができ、また電極９ａ、９ａに薬剤５が付着・凝結することを防止し、正負イオンを滞りなく発生させることができる。
【００７８】
なお隔壁１２にヒンジ、ソレノイド、その他の可動に必要な部材を設けておき、吸込ファン３が停止している場合には、隔壁１２は折畳まれて前記電極９ａ、９ａ及び蒸散部７を隔てないが、吸込ファン３が駆動している場合には、隔壁１２は伸張して前記電極９ａ、９ａ及び蒸散部７を隔てる構成としても良い。また電極９ａ、９ａは通風部２の上側壁の内面から間を隔てて配置してあっても良い。
【００７９】
実施の形態２に係る薬剤吹出装置の構成の内、実施の形態１と同様の構成については同じ符号を付し、その詳細な説明を省略する。
【００８０】
（実施の形態３）
以下本発明に係る薬剤吹出装置を実施の形態３を示す図面に基づいて詳述する。図３は実施の形態３に係る薬剤吹出装置の正面から見た要部構成を示す模式図である。
【００８１】
筐体１の底面に薬剤蒸散器Ｃが配設されており、筐体１の天井面近傍にイオン発生器９が配設されている。吸込ファン３の下部に薬剤側ダクト２１が設けてある。薬剤側ダクト２１は吸込ファン３から筐体１の底面に向けて湾曲して延びており、前記底面付近にて筐体１の他側壁１ｂに向けて湾曲して、前記底面に略平行に延設され、筐体１の他側壁１ｂ付近にて筐体１の天井面に向けて湾曲し、更に前記他側壁１ｂに向けて湾曲し、該他側壁１ｂに連なっている。
【００８２】
薬剤側ダクト２１の前記底面に略平行に延設されている部分の幅は狭くなっており、該部分の側壁に開設された孔部を通して、薬剤蒸散器Ｃの蒸散部７は薬剤側ダクト２１内に配置してあり、蒸散部７から薬剤側ダクト２１内に薬剤５が蒸散される構成となっている。筐体１の薬剤側ダクト２１が連設している部分には薬剤側吹出口２１ａが開設されており、該薬剤側吹出口２１ａには風向調節器２１ｂが設けられている。
【００８３】
吸込ファン３の上部に、両端から中央に向けて湾曲して縮幅しているイオン側ダクト２２の一端が連なっている。イオン側ダクト２２は吸込ファン３から筐体１の他側壁１ｂに向けて延設されており、前記他側壁１ｂに他端が連なっている。
【００８４】
イオン側ダクト２２の中央付近の側壁に、電極９ａ、９ａが該側壁の内面と略同一平面上に配置してあり、電極９ａ、９ａへの電圧印加により発生した正負イオンがイオン側ダクト２２内に放出される構成となっている。前記他側壁１ｂのイオン側ダクト２２の他端が連設している部分にイオン側吹出口２２ａが開設されており、該イオン側吹出口２２ａに風向調節器２２ｂが設けられている。
【００８５】
薬剤吹出装置の運転について説明する。イオン発生器９が作動して電極９ａ、９ａに電圧が印加されると、正負イオンが発生し、正負イオンはイオン側ダクト２２内に放出され、放出された正負イオンは風向調節器２２ｂにより風向を調節されて、図中の白抜矢符にて示す如く、イオン側吹出口２２ａから吹出される。
【００８６】
薬剤側ダクト２１内を通流している空気は前記蒸散部７に当たり、薬剤５の蒸散を促進し、蒸散された薬剤５は薬剤側吹出口２１ａに向けて移動し、イオン側吹出口２２ａから吹出される空気の風向と干渉しないように風向調節器２１ｂにより風向を調節されて、図中の白抜矢符にて示す如く、薬剤側吹出口２１ａから吹出される。
【００８７】
実施の形態３に係る薬剤吹出装置においては、薬剤側ダクト２１及びイオン側ダクト２２を設け、前記蒸散部７を薬剤側ダクト２１に配置し、前記電極９ａ、９ａをイオン側ダクト２２に配置することにより、蒸散された薬剤５の前記電極９ａ、９ａへの移動を妨げ、該薬剤５が電極９ａ、９ａにて分解されることを防止する。したがって薬剤５の効率的利用を図ることができ、また電極９ａ、９ａに薬剤５が付着・凝結することを防止して、正負イオンを滞りなく発生させることができる。
【００８８】
また薬剤側ダクト２１及びイオン側ダクト２２のそれぞれの吹出口に風向調節器２１ｂ及び２２ｂをそれぞれ設けることにより、正負イオンを含む空気の風向と蒸散された薬剤５を含む空気の風向とを異ならしめて、前者の空気と後者の空気とが干渉することを防ぐので、室内の気流に乱れが生じることを防止し、室内全体に正負イオン及び蒸散された薬剤５を拡散させることができる。
【００８９】
また薬剤側ダクト２１及びイオン側ダクト２２を必要な風量が取り込まれ易い形状にすることにより、吸込ファン３により吸込まれた空気の風量を両者に適切に分配することができ、吸込ファン３の駆動に必要な電力を低減することができる。
【００９０】
なお電極９ａ、９ａはイオン側ダクト２２の側壁の内面から間を隔てて配置してあっても良い。
【００９１】
実施の形態３に係る薬剤吹出装置の構成の内、実施の形態１又は２と同様の構成については同じ符号を付しその詳細な説明を省略する。
【００９２】
（実施の形態４）
以下本発明に係る薬剤吹出装置を実施の形態４を示す図面に基づいて詳述する。図４は実施の形態４に係る薬剤吹出装置の正面から見た要部構成を示す模式図である。
【００９３】
通風部２内の中央に、通風部２の下側壁に立設されている支持柱１４、１４・・・により支持してある箱形の包囲体１３が設けてある。該包囲体１３は薬剤蒸散器Ｃ、制御部８及び制御基板を備えるイオン発生器９本体の四囲、上側及び下側の全体を包囲している。包囲体１３は断熱性を有する材料で構成されており、内部に熱を閉じ込める構成となっている。
【００９４】
包囲体１３の内部上寄りに薬剤蒸散器Ｃが設けられている。該薬剤蒸散器Ｃの底面に、制御基板を内部に備える薄い箱形の制御部８が、一面を前記底面に隣接させて設けられている。前記制御部８の他面に隣接するように、包囲体１３の内部下寄りにイオン発生器９本体が設けられている。薬剤蒸散器Ｃ、制御部８及びイオン発生器９本体は、包囲体１３の内壁面に設けてある図示しない支持部材により固定支持されている。
【００９５】
包囲体１３の上側壁部１３ａに孔部１３ｃが開設されており、該孔部１３ｃを通して薬剤蒸散器Ｃの蒸散部７が通風部２内に配設されており、該蒸散部７から通風部２内に薬剤５が蒸散される構成となっている。前記上側壁部１３ａに対向する下側壁部１３ｂにて、該下側壁部１３ｂの外面と略同一平面上に、イオン発生器９本体に繋げてある電極９ａ、９ａが配置してあり、電極９ａ、９ａへの電圧印加により発生した正負イオンは通風部２内に放出される構成となっている。
【００９６】
薬剤吹出装置が運転を開始すると、制御部８及びイオン発生器９本体に備えてある制御基盤から電流による熱が発生する。発生した熱は包囲体１３の内部に滞留して薬剤５の温度を上昇させ、薬剤５は蒸散し易い状態になる。
【００９７】
吸込ファン３が駆動し、図中の白抜矢符にて示す如く、吸込口１０から吸込まれた空気は、包囲体１３の前記吸込口１０側にある壁面に当たって分岐し、分岐した空気の一部は、上側壁部１３ａ及び下側壁部１３ｂの外面を吹出口１１に向けて通流する。上側壁部１３ａの外面を通流する空気が蒸散部７に当たると、通風部２内に薬剤５は蒸散される。蒸散された薬剤５の電極９ａ、９ａへ向かう移動は包囲体１３により遮られるので、蒸散された薬剤５は吹出口１１に向けて移動し、電極９ａ、９ａにて分解されることなく、図中の白抜矢符にて示す如く、吹出口１１から吹出される。また下側壁部１３ｂの外面上を空気は通流し、電極９ａ、９ａへの電圧印加により発生した正負イオンは通風部２内に放出され、図中の白抜矢符にて示す如く、吹出口１１から吹出される。
【００９８】
薬剤蒸散器Ｃ、制御部８及びイオン発生器９本体を包囲する包囲体１３を設けることにより、制御部８及びイオン発生器９本体に備えてある制御基盤から発生する熱を包囲体１３の内部に滞留させて、薬剤５の温度を上昇させ、薬剤５を蒸散させ易くする。したがって室内の温度が低下した場合でもイオン発生器９から発生する熱を利用して、薬剤５の蒸散を促進することができる。また包囲体１３の上側壁部１３ａに蒸散部７を設け、前記上側壁部１３ａに対向する下側壁部１３ｂに電極９ａ、９ａを設けることにより、蒸散された薬剤５の電極９ａ、９ａへの付着・凝結が防止され、電極９ａ、９ａで正負イオンを滞りなく発生させることができる。
【００９９】
なお包囲体１３は箱形に限らず、球状、筒状等その他の前記イオン発生器９本体及び薬剤蒸散器Ｃの全体を包囲する形状であれば良い。また電極９ａ、９ａは下側壁部１３ｂの外面から間を隔てて配置してあっても良い。
【０１００】
実施の形態４に係る薬剤吹出装置の構成の内、実施の形態１乃至３と同様の構成については同じ符号を付しその詳細な説明を省略する。
【０１０１】
（実施の形態５）
以下本発明に係る薬剤吹出装置を実施の形態５を示す図面に基づいて詳述する。図５は実施の形態５に係る薬剤吹出装置の正面から見た要部構成を示す模式図である。
【０１０２】
筐体１の下壁の縁に板形の蓋体２５の一側端部がヒンジにより結合されており、前記一側端部に対向する他側端部に係合部２５ａが設けられている。筐体１の上壁に前記係合部２５ａに係合する被係合部２５ｂが設けられており、係合部２５ａ及び被係合部２５ｂの係合又は係合解除により蓋体２５の開閉が行われる構成となっている。また吸込口１０の近傍であって一側壁１ａの外面に、人体から発する熱を検出して人体の有無を検出する人感センサ８０及び薬剤吹出装置が設置された室内での空気中の薬剤５の濃度を検出する濃度センサ８１が設けられている。
【０１０３】
図６は制御部８の要部構成を示す概略ブロック図である。制御部８は吸込ファン３の駆動処理及びイオン発生器９の作動処理を実行するＣＰＵ８ａ、吸込ファン３の駆動及びイオン発生器９の作動を制御する制御プログラムが格納されているＲＯＭ８ｂ、入力された情報を一時的に記憶するＲＡＭ８ｃ、前記人感センサ８０及び濃度センサ８１が接続されている入力ポート８ｄ及び吸込ファン３の駆動に使用されるファン駆動回路３０及びイオン発生器９が接続されている出力ポート８ｅを備える。制御部８には人感センサ８０及び濃度センサ８１から人体の有無を示す信号及び空気中の薬剤５の濃度を示す信号が入力され、ファン駆動回路３０及びイオン発生器９に対しオン又はオフ信号が制御部８から出力される。
【０１０４】
図７は制御部８での吸込ファン３の駆動処理及びイオン発生器９の作動処理を示すフローチャートである。薬剤吹出装置が室内に設置され、薬剤吹出装置に電力が供給されると人感センサ８０及び濃度センサ８１の作動が開始される。ＣＰＵ８ａは、人感センサ８０からの出力信号を取り込んで、該出力信号が人体の熱を検出したことを示す信号であるか否か判断する（Ｓ７１）。人体の熱を検出したことを示す信号でない場合は（Ｓ７１：ＮＯ）薬剤吹出装置が設置された室内は無人であり、ＣＰＵ８ａはステップＳ７１に戻る。人体の熱を検出したことを示す信号である場合は（Ｓ７１：ＹＥＳ）前記室内は有人であり、ＣＰＵ８ａは次のステップに移る。
【０１０５】
ＣＰＵ８ａは、濃度センサ８１からの出力信号をＲＡＭ８ｃに取り込んで、該出力信号が示す濃度とＲＯＭ８ｂに設定してある所定濃度Ｓとを比較し、前記出力信号が示す濃度が所定濃度Ｓを超えているか否か判断する（Ｓ７２）。所定濃度Ｓを超えている場合は（Ｓ７２：ＹＥＳ）前記室内の空気中には悪臭による人の不快感を和らげるに十分な量の薬剤５が蒸散されており、ステップＳ７１に戻る。所定濃度Ｓを超えていない場合は（Ｓ７２：ＮＯ）前記室内の空気中には十分な量の薬剤５が蒸散されておらず、ＣＰＵ８ａはファン駆動回路３０及びイオン発生器９にオン信号を出力して、吸込ファン３を駆動させ、イオン発生器９を作動させる（Ｓ７３）。
【０１０６】
そしてＣＰＵ８ａは人感センサ８０からの出力信号を取り込んで、該出力信号が人体の熱を検出したことを示す信号であるか否か判断する（Ｓ７４）。人体の熱を検出したことを示す信号でない場合は（Ｓ７４：ＮＯ）薬剤吹出装置が設置された室内から人は退室しており、ＣＰＵ８ａはファン駆動回路３０及びイオン発生器９にオフ信号を出力して、吸込ファン３及びイオン発生器９を停止させる（Ｓ７５）。前記出力信号が人体の熱を検出したことを示す信号である場合は（Ｓ７４：ＹＥＳ）薬剤吹出装置が設置された室内から人は退室しておらず、ＣＰＵ８ａは次のステップに移る。
【０１０７】
ＣＰＵ８ａは、濃度センサ８１からの出力信号をＲＡＭ８ｃに取り込んで、該出力信号が示す濃度と前記所定濃度Ｓとを比較し、前記出力信号が示す濃度が所定濃度Ｓを超えているか否か判断する（Ｓ７６）。所定濃度Ｓを超えていない場合は（Ｓ７６：ＮＯ）前記室内の空気中には悪臭による人の不快感を和らげるに十分な量の薬剤５が蒸散されておらず、ＣＰＵ８ａはステップＳ７４に戻る。
【０１０８】
所定濃度Ｓを超えている場合は（Ｓ７６：ＹＥＳ）前記室内の空気中には十分な量の薬剤５が蒸散されており、ＣＰＵ８ａはファン駆動回路３０にオフ信号を出力して、吸込ファン３を停止させる（Ｓ７７）。そしてＣＰＵ８ａはタイマを用いて、ファン駆動回路３０にオフ信号を出力した時からの計時を開始し（Ｓ７８）経過時間をインクリメントする（Ｓ７９）。次にＣＰＵ８ａは、ＲＯＭ８ｂに設定してあり、薬剤吹出装置の内部を除菌するに十分な正負イオンを発生させるために必要なイオン発生器９の作動時間（Ｔ１）が経過したか否か判断する（Ｓ８０）。Ｔ１が経過していない場合は（Ｓ８０：ＮＯ）十分な量の正負イオンは発生しておらず、ＣＰＵ８ａはステップＳ７９に戻る。Ｔ１が経過している場合は（Ｓ８０：ＹＥＳ）十分な量の正負イオンは発生しており、ＣＰＵ８ａはイオン発生器９にオフ信号を出力して、イオン発生器９を停止させ（Ｓ８１）タイマの計時を終了する（Ｓ８２）。
【０１０９】
実施の形態５に係る薬剤吹出装置においては、人感センサ８０を設け、人感センサ８０により人体を検出した場合に前記吸込ファン３を駆動させることにより、室内が無人である場合は吸込ファン３を停止させて薬剤５の蒸散を抑制し、室内が有人である場合は吸込ファン３を駆動させて薬剤５の蒸散を促進する。したがって、室内が無人である場合には薬剤５の蒸散を抑制し、薬剤５の消費を抑えると共に消費電力を低減することができる。
【０１１０】
また空気中の薬剤の濃度を検出する濃度センサ８１を設け、該濃度センサ８１により検出された濃度が所定濃度Ｓを超えている場合に、吸込ファン３を停止させ、所定濃度Ｓを超えていない場合に吸込ファン３を駆動させることにより、十分な量の薬剤５が蒸散されている場合は吸込ファン３を停止させて薬剤５の蒸散を抑制し、十分な量の薬剤５が蒸散されていない場合は吸込ファン３を駆動させて薬剤５の蒸散を促進する。したがって薬剤消費の効率性を向上させると共に消費電力を低減することができる。
【０１１１】
また前記筐体１に蓋体２５を設けることにより、薬剤５の補充、電極９ａ、９ａの清掃等を行ない易くして、薬剤吹出装置の速やかな保守点検を実現するので、保守点検に要する時間を短縮することができる。
【０１１２】
なお、ＣＰＵ８ａがファン駆動回路３０にオフ信号を出力した後に（Ｓ７７）吸込口１０及び吹出口１１を閉じる構成とし、薬剤吹出装置の内部に正負イオンを充満させ易くしても良い。また人感センサ８０又は濃度センサ８１は室内に設けても良く、人感センサ８０として人体の接近又は離脱を検出する光センサを用いても良い。また室内の照明に設けてある人感センサを兼用しても良い。また人感センサ８０又は濃度センサ８１は複数設けても良い。
【０１１３】
実施の形態５に係る薬剤吹出装置の構成の内、実施の形態１乃至４と同様の構成については同じ符号を付しその詳細な説明を省略する。
【０１１４】
（実施の形態６）
以下本発明に係る薬剤吹出装置を実施の形態６を示す図面に基づいて詳述する。図８は実施の形態６に係る薬剤吹出装置の正面から見た要部構成を示す模式図である。
【０１１５】
吸込口１０の近傍であって一側壁１ａの外面に、薬剤吹出装置が設置された室内照明光の光量を検出する受光センサ８２が設けられている。また筐体１の内部であって制御部８の上側に、薬剤吹出装置に電力を供給する電池４０が設けてあり、電池４０の近傍に該電池４０の電圧値を検出する電圧センサ８３が設けられている。
【０１１６】
図９は制御部８の要部構成を示す概略ブロック図である。制御部８は吸込ファン３の駆動処理及びイオン発生器９の作動処理を実行するＣＰＵ８ａ、吸込ファン３の駆動及びイオン発生器９の作動を制御する制御プログラムが格納されているＲＯＭ８ｂ、入力された情報を一時的に記憶するＲＡＭ８ｃ、前記受光センサ８２及び電圧センサ８３が接続されている入力ポート８ｄ及び吸込ファン３の駆動に使用されるファン駆動回路３０及びイオン発生器９が接続されている出力ポート８ｅを備える。制御部８には受光センサ８２及び電圧センサ８３からの出力信号が入力され、ファン駆動回路３０及びイオン発生器９に対しオン又はオフ信号が制御部８から出力される。
【０１１７】
図１０は制御部８での吸込ファン３の駆動処理及びイオン発生器９の作動処理を示すフローチャートである。薬剤吹出装置が室内に設置され、薬剤吹出装置に電力が供給されると受光センサ８２及び電圧センサ８３の作動が開始される。ＣＰＵ８ａは、受光センサ８２からの出力信号をＲＡＭ８ｃに取り込んで、該出力信号が示す光量とＲＯＭ８ｂに設定してある所定光量Ｌとを比較し、該出力信号が示す光量が所定光量Ｌを超えているか否か判断する（Ｓ１０１）。所定光量Ｌを超えていない場合は（Ｓ１０１：ＮＯ）前記室内は照明が点灯しておらず、室内は無人であると推定され、ＣＰＵ８ａはステップＳ１０１に戻る。所定光量Ｌを超えている場合は（Ｓ１０１：ＹＥＳ）前記室内の照明は点灯しており、室内は有人であると推定され、ＣＰＵ８ａはファン駆動回路３０及びイオン発生器９にオン信号を出力して、吸込ファン３を駆動させ、イオン発生器９を作動させる（Ｓ１０２）。
【０１１８】
そしてＣＰＵ８ａはタイマを用いて、ファン駆動回路３０及びイオン発生器９にオン信号を出力した時からの計時を開始し（Ｓ１０３）経過時間をインクリメントする（Ｓ１０４）。次にＣＰＵ８ａは、受光センサ８２からの出力信号が示す光量が、前記所定光量Ｌを超えているか否か判断する（Ｓ１０５）。所定光量Ｌを超えていない場合は（Ｓ１０５：ＮＯ）前記室内の照明は消灯しており、室内から人は退室したと推定され、ＣＰＵ８ａはファン駆動回路３０及びイオン発生器９にオフ信号を出力して、ファン駆動回路３０及びイオン発生器９を停止させ（Ｓ１０６）タイマの計時を終了する（Ｓ１１１）。
【０１１９】
所定光量Ｌを超えている場合は（Ｓ１０５：ＹＥＳ）前記室内の照明は点灯しており、室内から人は退室していないと推定され、ＣＰＵ８ａは、悪臭による人の不快感を和らげるに十分な量の薬剤５を前記室内の空気中に蒸散させるために必要な、ＲＯＭ８ｂに設定してある吸込ファン３の駆動時間（Ｔ２）が経過したか否か判断する（Ｓ１０７）。Ｔ２が経過していない場合は（Ｓ１０７：ＮＯ）十分な量の薬剤５は前記室内の空気中に蒸散されておらず、ステップＳ１０４に戻る。Ｔ２が経過している場合は（Ｓ１０７：ＹＥＳ）十分な量の薬剤５は前記室内の空気中に蒸散されており、ＣＰＵ８ａはファン駆動回路３０及びイオン発生器９にオフ信号を出力して、ファン駆動回路３０及びイオン発生器９を停止させ（Ｓ１０８）経過時間をインクリメントする（Ｓ１０９）。
【０１２０】
次にＣＰＵ８ａは、ＲＯＭ８ｂに設定してあり、悪臭による人の不快感を和らげるに十分な量の薬剤５が前記室内の空気中に残留している時間（Ｔ３）が経過したか否か判断する（Ｓ１１０）。Ｔ３が経過していない場合は（Ｓ１１０：ＮＯ）前記薬剤５は前記室内の空気中に残留しており、ＣＰＵ８ａはステップＳ１０９に戻る。Ｔ３が経過している場合は（Ｓ１１０：ＹＥＳ）前記薬剤５は前記室内の空気中に残留しておらず、ＣＰＵ８ａはタイマの計時を終了する（Ｓ１１１）。
【０１２１】
図１１は制御部８の割込処理を示すフローチャートである。ここで割込処理とは、ファン駆動回路３０及びイオン発生器９にオン信号が出力された後にイオン発生器９にオフ信号が出力される処理を言う。
【０１２２】
ＣＰＵ８ａは、ファン駆動回路３０及びイオン発生器９にオン信号を出力した後に（Ｓ１０２）電圧センサ８３からの出力信号をＲＡＭ８ｃに取り込んで、該出力信号が示す電圧値とＲＯＭ８ｂに設定してある所定電圧値Ｖとを比較し、前記出力信号が示す電圧値が所定電圧値Ｖ未満か否か判断する（Ｓ１１０１）。所定電圧値Ｖ未満でない場合は（Ｓ１１０１：ＮＯ）電池４０の電圧値は、ファン駆動回路３０の駆動及びイオン発生器９の作動を維持するに十分な電圧値となっており、ＣＰＵ８ａはステップＳ１１０１に戻る。所定電圧値Ｖ未満である場合は（Ｓ１１０１：ＹＥＳ）電池４０の電圧値は、ファン駆動回路３０の駆動及びイオン発生器９の作動を維持するに十分な電圧値とはなっておらず、ＣＰＵ８ａはイオン発生器９にオフ信号を出力して、イオン発生器９を停止させる（Ｓ１１０２）。
【０１２３】
実施の形態６に係る薬剤吹出装置においては、照明光の光量を検出する受光センサ８２を設け、該受光センサ８２により検出された光量が所定光量Ｌを超えている場合に前記吸込ファン３を駆動させ、所定光量Ｌを超えていない場合は前記吸込ファン３を停止させることにより、室内の照明が点灯している場合は吸込ファン３を駆動させて薬剤５の蒸散を促進し、室内の照明が消灯している場合は吸込ファン３を停止させて薬剤の蒸散を抑制する。したがって照明が消灯しており室内が無人であると推定される場合には薬剤５の蒸散を抑制し、薬剤の消費を抑えると共に消費電力を低減することができる。
【０１２４】
また電池４０の電圧値を検出する電圧センサ８３を設け、該電圧センサ８３により検出された電圧値が所定電圧値Ｖに満たない場合に、前記イオン発生器９を停止させて吸込ファン３を駆動させ、所定電圧値Ｖ以上である場合に吸込ファン３及びイオン発生器９を駆動させることにより、電池４０の電圧が降下した場合にはイオン発生器９を停止させて、吸込ファン３の駆動を長時間維持させることができる。
【０１２５】
なお受光センサ８２及び電圧センサ８３は室内に設けてもよく、複数設けても良い。また電池４０の電圧が所定電圧値Ｖに満たない場合に点灯するアラームランプを設けても良い。
【０１２６】
実施の形態６に係る薬剤吹出装置の構成の内、実施の形態１乃至５の構成と同様の構成については同じ符号を付しその詳細な説明を省略する。
【図面の簡単な説明】
【０１２７】
【図１】実施の形態１に係る薬剤吹出装置の正面から見た要部構成を示す模式図である。
【図２】実施の形態２に係る薬剤吹出装置の正面から見た要部構成を示す模式図である。
【図３】実施の形態３に係る薬剤吹出装置の正面から見た要部構成を示す模式図である。
【図４】実施の形態４に係る薬剤吹出装置の正面から見た要部構成を示す模式図である。
【図５】実施の形態５に係る薬剤吹出装置の正面から見た要部構成を示す模式図である。
【図６】実施の形態５に係る薬剤吹出装置の制御部の要部構成を示す概略ブロック図である。
【図７】実施の形態５に係る薬剤吹出装置の制御部での吸込ファンの駆動処理及びイオン発生器の作動処理を示すフローチャートである。
【図８】実施の形態６に係る薬剤吹出装置の正面から見た要部構成を示す模式図である。
【図９】実施の形態６に係る薬剤吹出装置の制御部の要部構成を示す概略ブロック図である。
【図１０】実施の形態６に係る薬剤吹出装置の制御部での吸込ファンの駆動処理及びイオン発生器の作動処理を示すフローチャートである。
【図１１】実施の形態６に係る薬剤吹出装置の制御部の割込処理を示すフローチャートである。
【符号の説明】
【０１２８】
１  筐体
２  通風部
２ａ  イオン側通風部
２ｂ  薬剤側通風部
３  吸込ファン
４  薬剤箱
５  薬剤
６  吸上体
７  蒸散部
８  制御部
９  イオン発生器
９ａ  電極
１０  吸込口
１１  吹出口
１２  隔壁
１３  包囲体
１３ａ  上側壁部（一側壁部）
１３ｂ  下側壁部（他側壁部）
１３ｃ  孔部
２１  薬剤側ダクト
２１ａ  薬剤側吹出口
２２  イオン側ダクト
２２ａ  イオン側吹出口
２１ｂ、２２ｂ  風向調節器
２５  蓋体
４０  電池
８０  人感センサ
８１  濃度センサ
８２  受光センサ
８３  電圧センサ
Ｃ  薬剤蒸散器
【図１】
2008161561.tif 000003
【図２】
2008161561.tif 000004
【図３】
2008161561.tif 000005
【図４】
2008161561.tif 000006
【図５】
2008161561.tif 000007
【図６】
2008161561.tif 000008
【図７】
2008161561.tif 000009
【図８】
2008161561.tif 000010
【図９】
2008161561.tif 000011
【図１０】
2008161561.tif 000012
【図１１】
2008161561.tif 000013